【手続補正書】
【提出日】平成29年9月7日(2017.9.7)
【手続補正１】
【補正対象書類名】特許請求の範囲
【補正対象項目名】全文
【補正方法】変更
【補正の内容】
【特許請求の範囲】
【請求項１】
撮影された画像を取得する画像取得手段と、
画像に含まれる被写体の色再現を行うための照明の分光特性情報である理想照明データを取得する情報取得手段と、
前記画像を撮影した環境における照明の分光特性に関する撮影照明データを取得する撮影照明データ取得手段と、
前記画像を観賞する環境における照明の分光特性に関する観察照明データを取得する観察照明データ取得手段と、
前記撮影照明データを用いて、前記画像に対して第一の補正を行う第一の補正手段と、
前記理想照明データと、前記観察照明データとに基づいて、前記画像を補正するためのデータであるレンダリング照明データを生成する補正データ生成手段と、
前記レンダリング照明データを用いて、前記第一の補正手段が補正した画像に対して第二の補正を行う第二の補正手段と、
前記第二の補正手段が補正した画像を出力する出力手段と、を有することを特徴とする、画像処理装置。
【請求項２】
前記理想照明データは、前記画像に含まれる複数のオブジェクトの位置情報と、各オブジェクトに対応する、当該オブジェクトの色再現を行うための照明の分光特性情報を含み、
前記レンダリング照明データの生成、および、前記第二の補正は、前記オブジェクトごとに実行される
ことを特徴とする、請求項１に記載の画像処理装置。
【請求項３】
前記第一の補正手段は、前記理想照明データと前記撮影照明データの差分が、所定の値より小さい場合に、前記第一の補正を行わない
ことを特徴とする、請求項１または２に記載の画像処理装置。
【請求項４】
前記レンダリング照明データは、前記理想照明データと、前記観察照明データとの差分に基づき生成されるデータである
ことを特徴とする、請求項１から３のいずれか１項に記載の画像処理装置。
【請求項５】
前記補正データ生成手段は、前記理想照明データと前記観察照明データの差分が所定の値より小さい場合に、レンダリング照明データの生成を行わず、
前記第二の補正手段は、レンダリング照明データが存在しない場合に、前記第二の補正を行わない
ことを特徴とする、請求項４に記載の画像処理装置。
【請求項６】
請求項１から５のいずれか１項に記載の画像処理装置と、前記画像処理装置が補正した画像を配信する画像配信装置と、を含むサーバ装置と、
前記配信された画像を表示するクライアント装置と、
からなることを特徴とする、画像配信システム。
【請求項７】
画像を配信するサーバ装置と、
請求項１から５のいずれか１項に記載の画像処理装置と、前記画像処理装置が補正した画像を表示する画像表示装置と、を含むクライアント装置と、
からなることを特徴とする、画像配信システム。
【請求項８】
撮影された画像を処理する画像処理装置が行う画像処理方法であって、
前記画像を取得する画像取得ステップと、
画像に含まれる被写体の色再現を行うための照明の分光特性情報である理想照明データを取得する情報取得ステップと、
前記画像を撮影した環境における照明の分光特性に関する撮影照明データを取得する撮影照明データ取得ステップと、
前記画像を観賞する環境における照明の分光特性に関する観察照明データを取得する観察照明データ取得ステップと、
前記撮影照明データを用いて、前記画像に対して第一の補正を行う第一の補正ステップと、
前記理想照明データと、前記観察照明データとに基づいて、前記画像を補正するためのデータであるレンダリング照明データを生成する補正データ生成ステップと、
前記レンダリング照明データを用いて、前記第一の補正ステップが補正した画像に対して第二の補正を行う第二の補正ステップと、
前記第二の補正ステップが補正した画像を出力する出力ステップと、
を含むことを特徴とする、画像処理方法。
【請求項９】
前記理想照明データは、前記画像に含まれる複数のオブジェクトの位置情報と、各オブジェクトに対応する、当該オブジェクトの色再現を行うための照明の分光特性情報を含み、
前記レンダリング照明データの生成、および、前記第二の補正は、前記オブジェクトごとに実行される
ことを特徴とする、請求項８に記載の画像処理方法。
【請求項１０】
前記第一の補正ステップでは、前記理想照明データと前記撮影照明データの差分が、所定の値より小さい場合に、前記第一の補正を行わない
ことを特徴とする、請求項８または９に記載の画像処理方法。
【請求項１１】
前記レンダリング照明データは、前記理想照明データと、前記観察照明データとの差分に基づき生成されるデータである
ことを特徴とする、請求項８から１０のいずれか１項に記載の画像処理方法。
【請求項１２】
前記補正データ生成ステップでは、前記理想照明データと前記観察照明データの差分が所定の値より小さい場合に、レンダリング照明データの生成を行わず、
前記第二の補正ステップは、レンダリング照明データが存在しない場合に、前記第二の補正を行わない
ことを特徴とする、請求項１１に記載の画像処理方法。
【手続補正２】
【補正対象書類名】明細書
【補正対象項目名】発明の名称
【補正方法】変更
【補正の内容】
【発明の名称】画像処理装置、画像処理方法、および、画像配信システム
【手続補正３】
【補正対象書類名】明細書
【補正対象項目名】０００１
【補正方法】変更
【補正の内容】
【０００１】
本発明は、画像を処理する装置に関する。
【手続補正４】
【補正対象書類名】明細書
【補正対象項目名】０００８
【補正方法】変更
【補正の内容】
【０００８】
本発明は、このような課題に鑑みてなされたものであり、簡便な構成で忠実な色再現を行うための画像処理装置を提供することを目的とする。
【手続補正５】
【補正対象書類名】明細書
【補正対象項目名】０００９
【補正方法】変更
【補正の内容】
【０００９】
上記課題を解決するために、本発明に係る画像処理装置は、
撮影された画像を取得する画像取得手段と、画像に含まれる被写体の色再現を行うための照明の分光特性情報である理想照明データを取得する情報取得手段と、前記画像を撮影した環境における照明の分光特性に関する撮影照明データを取得する撮影照明データ取得手段と、前記画像を観賞する環境における照明の分光特性に関する観察照明データを取得する観察照明データ取得手段と、前記撮影照明データを用いて、前記画像に対して第一の補正を行う第一の補正手段と、前記理想照明データと、前記観察照明データとに基づいて、前記画像を補正するためのデータであるレンダリング照明データを生成する補正データ生成手段と、前記レンダリング照明データを用いて、前記第一の補正手段が補正した画像に対して第二の補正を行う第二の補正手段と、前記第二の補正手段が補正した画像を出力する出力手段と、を有することを特徴とする。
【手続補正６】
【補正対象書類名】明細書
【補正対象項目名】００１０
【補正方法】変更
【補正の内容】
【００１０】
また、本発明に係る画像処理方法は、
撮影された画像を処理する画像処理装置が行う画像処理方法であって、前記画像を取得する画像取得ステップと、画像に含まれる被写体の色再現を行うための照明の分光特性情
報である理想照明データを取得する情報取得ステップと、前記画像を撮影した環境における照明の分光特性に関する撮影照明データを取得する撮影照明データ取得ステップと、前記画像を観賞する環境における照明の分光特性に関する観察照明データを取得する観察照明データ取得ステップと、前記撮影照明データを用いて、前記画像に対して第一の補正を行う第一の補正ステップと、前記理想照明データと、前記観察照明データとに基づいて、前記画像を補正するためのデータであるレンダリング照明データを生成する補正データ生成ステップと、前記レンダリング照明データを用いて、前記第一の補正ステップが補正した画像に対して第二の補正を行う第二の補正ステップと、前記第二の補正ステップが補正した画像を出力する出力ステップと、を含むことを特徴とする。
【手続補正７】
【補正対象書類名】明細書
【補正対象項目名】００１１
【補正方法】変更
【補正の内容】
【００１１】
本発明によれば、簡便な構成で忠実な色再現を行うための画像処理装置を提供することができる。